(57)【特許請求の範囲】
【請求項１】
一方向を幅方向としそれに直交する方向を長手方向とするとともに上方を開放した矩形の受皿状とされた槽を内部に形成した本体を備え、同本体は、前記幅方向両側に前記長手方向に延びた上向きの突出部分を備えるとともに、左右両突出部分の各内側には、車椅子の左右両車輪が転動する車輪転動面が前記長手方向に延びるように配備され、前記本体の長手方向手前側には、車椅子が搬入される下がり斜面が前記車輪転動面につながるようにして形成される一方、前記本体の長手方向向こう側には、前記車輪転動面につながるようにして搬出側上がり斜面が形成されるとともに、前記本体は、前記幅方向中央において前記長手方向に延びるようにして介護者通路を備えて前記槽の車輪転動面よりも上方へ突出され、かつ、前記介護者通路上および両車輪転動面上には、前記長手方向に延びて洗浄用ブラシが設けられ、前記槽内には、その内部に洗浄液が入れられて前記車輪転動面上および介護者通路上の再洗浄用ブラシが浸るようにされることを特徴とする洗浄装置。
【発明の詳細な説明】
【０００１】
【産業上の利用分野】
この発明は、外出から帰った際などに車椅子の車輪など汚れた部分を洗浄するために利用される洗浄装置に関する。
【０００２】
【従来の技術】
病院などにおいては、玄関マットが敷かれており、これにより、外出から帰った際の車椅子の車輪の泥などを除去するようにしてある。
【０００３】
【発明が解決しようとする課題】
しかし、最近では、美麗な施設が多く、マットでの除去程度では、完全に泥を取り除くことができず、迷惑を掛けるのが通例である。
この発明は前記課題を解決するためになされたもので、外出から帰った際の車椅子等をより完全な程にきれいに洗浄して施設を何時も美麗に保つことができるようにした洗浄装置を提供することを目的とする。
【０００４】
【課題を解決するための手段】
前記課題を解決するため、請求項１記載の発明は、一方向を幅方向としそれに直交する方向を長手方向とするとともに上方を開放した矩形の受皿状とされた槽を内部に形成した本体を備え、同本体は、前記幅方向両側に前記長手方向に延びた上向きの突出部分を備えるとともに、左右両突出部分の各内側には、車椅子の左右両車輪が転動する車輪転動面が前記長手方向に延びるように配備され、前記本体の長手方向手前側には、車椅子が搬入される下がり斜面が前記車輪転動面につながるようにして形成される一方、前記本体の長手方向向こう側には、前記車輪転動面につながるようにして搬出側上がり斜面が形成されるとともに、前記本体は、前記幅方向中央において前記長手方向に延びるようにして介護者通路を備えて前記槽の車輪転動面よりも上方へ突出され、かつ、前記介護者通路上および両車輪転動面上には、前記長手方向に延びて洗浄用ブラシが設けられ、前記槽内には、その内部に洗浄液が入れられて前記車輪転動面上および介護者通路上の両洗浄用ブラシが浸るようにされることを特徴とする。
【０００５】
【実施例】
以下、図示した実施例を参照してこの発明を詳細に説明する。図１、図２は、この発明の一実施例を示している。
【０００６】
この実施例において、１は洗浄装置で、同装置１は、本体２を備え、同本体２は、プラスチックあるいはステンレスなどにより一体形成されている。この本体２は、一方向を幅方向としそれに直交する方向を長手方向とするとともに上方を開放した矩形の受皿状とされた槽１１を内部に形成してある。
【０００７】
この本体２は、細長く低いボディのもので、手前（図１の左端）側には、搬入側上がり斜面３と搬入側下がり斜面４とが側面山形に形成されている。
【０００８】
一方、本体２の終端部（図１の右側部、図２の長手方向向こう側）には、搬出側上がり斜面６と搬出側下がり斜面６およびその間のマット７付き水平面８とが台状山形に形成されている。槽１１内には、搬入側下がり斜面４の中央と搬出側上がり斜面６の中央につながるように本体幅方向中央を長手方向に水平に延びる介護者通路１２が上向き突出状に形成され、その上面に、介護者の履物を洗浄するための洗浄用ブラシ１３が植設されている。
【０００９】
同通路１２の両側は低くなって前記槽１１を形成し、同槽１１の底面が水平な車輪転動面９となっており、同転動面９は、図１に示すように、搬入側下がり斜面４と搬出側上がり斜面６につながっている。車輪転動面９には、車輪２１が転動することで車椅子２０が通行できるようになっている。そして、同転動面９の全体にも洗浄用ブラシ１０…が植設され、同ブラシ１０…と前記介護者通路１２上の洗浄用ブラシ１３が共に浸漬するようにして槽１１内に洗浄液（水）１４が入れられている。この洗浄液１４は、常に一定のレベルになるように制御されるとともに、図示しないフィルターを通じて泥の回収と水の洗浄がなされる。
【００１０】
こうした洗浄装置１は、例えば、玄関等に設置され、患者などが介護者の世話で返ってくるとき、搬入側上がり斜面３および下がり斜面４を介して槽１１内に乗り込むようにすれば、そこに植設された洗浄用ブラシ１３および洗浄液１４により車輪２１が洗浄されると同時に、介護者の履物も洗浄液１０により洗浄される。
【００１１】
そして、車椅子２０は搬出側の上がり斜面５を上がり、車輪２１の水滴などがマット７で拭かれ、搬出側下がり斜面６を下って洗浄は完了する。
【００１２】
図３に示す実施例は、車輪２１をハンドタイプの洗浄具２３で洗浄するものである。洗浄具２３は、グリップ２４の中に家庭用電源で駆動可能なモーター２５を備え、同モーター２５により回転パイプ２６が回転駆動される。回転パイプ２６には多数の孔２７…が開けられるとともに、外周には洗浄用ブラシ２８…が植設されている。そして、同パイプ２６の基部外周には、給水系２９および／または給気系３０を通じて洗浄水あるいはエアーが導かれる給水部３１が設けられ、同給水部３１を通じて回転パイプ２６→孔２７の順に水あるいはエアーが導かれ、洗浄用ブラシ２８…間を通じて噴出される。この洗浄水あるいはエアーの噴出される中で洗浄用ブラシ２８…が回転駆動されることで、車輪２１が洗浄される。
【００１３】
図４、図５に示す実施例は、装置本体３３にモーター３４を固定してスプロケット３５、チェーン３６および１対のギア４０，４０を介して前後１対の洗浄用ブラシ３７，３７を相反する内向きに回転駆動させ、その上に乗り込む車輪２１を洗浄するようにしたものである。これらの洗浄用ブラシ３７，３７は、図４に示すように、その一方の植毛量が多くてやや細い繊維であり、他方が少ないがやや太い繊維になっているが、双方共に同じ植毛状態であってもよい。
【００１４】
また、これらの洗浄用ブラシ３７，３７の対向する下方には、スクレープ用ブラシ３８が遊転状態で設けられているとともに、これらのブラシ３７，３７，３８は、洗浄液（水）３９に浸漬されて駆動され、さらに洗浄効果を上げるようにしてある。尚、洗浄液３９を使用しないこともある。洗浄液３９を使用する場合は、装置本体３３の底壁に明けられた複数の孔４１…を通じて泥水を抜き去りフィルタ４２を経由してポンプ４３で再度供給される。ポンプ４３からの水は、第２フィルタ４４で更に濾過されて供給される。４５はクラッチであり、同クラッチ４５が断切される時、車輪２１を自ら回転駆動してリハビリ等にも対応できるようになっている。
【００１５】
図６に示す実施例は、装置本体４７を架台として４柱式等のフレーム４８を立設し、同フレーム４８にガイドレール４９を固定するとともに、同ガイドレール４９にホイスト５０を装備して車椅子５１の装置内への搬入および搬出を可能にしたものである。ホイスト５０には昇降可能な搭載台５２が設けられ、同台５２には、車輪５３と補助車輪５４の嵌まり込む孔５５が形成されて安定して搬入および搬出ができるようになっている。
【００１６】
装置本体４７には、１対のローラー５６がセットされ、遊転自在であることにより健康回復・増進が可能であり、その上方であるフレーム４８には吊り輪５７が吊り下げられてこれもリハビリ等に対応できるようになっている。更に、装置本体４７上には、脚踏みクランク５８が設置されている。尚、装置本体４７およびフレーム４８は、耐震構造になっていて、同フレーム４８の下方域に居る限り地震に遭遇しても安全である。
【００１７】
図７に示す実施例は、上からみてＵ字形をなす手すり６０を設置し、その内回りおよび外回りに添ってリハビリ等の健康増進・回復に努めることができるようにしたもので、手すり６０内には、ローラー６１が設置される他、その域を取り囲むようにして照明６２内装のルーム６３が形成されている。尚、手すり６０の端枠６４は出入りできるように開閉可能にしてある。
【００１８】
図８に示す実施例は、耐震構造にしたフレーム７０の下方域にベッド７１を設置して地震時の安全を確保するとともに、同ベッド７１を利用する、例えば、寝た切り患者等が、フレーム７０に旋回可能で先端が昇降可能になった旋回式昇降装置７２により搬入・搬出できるようにしたものである。
【００１９】
図９は、車椅子７５についての実施例で、同車椅子７５は、一般に、台座７６をもつフレーム７７に両車輪７８と補助車輪７９を備えるとともに、背もたれ８０とその後方の手押しグリップ部８１を備えるものであるが、この実施例では、背もたれ８０が、前後に角度調節可能であるとともにその上端に垂れ下がるようにしてステー８２を備えたものであり、これによれば、背もたれ８０を後方に倒せばステー８２が自然に突っ張りとなって車椅子７５を安定に支持するものである。
【００２０】
図１０に示す実施例は、車椅子８５の台座８６を架台８７に対して昇降調節自在にしたもので、架台８７に可逆駆動型のリニアモーター８８を取り付け、同モーター８８のシャフト８９を台座８６に連結して昇降可能にしたものである。９０はバッテリー、９１は昇降レバー、９２は外装用の蛇腹である。
【００２１】
図１１に示す実施例は、車輪９３を側面から洗浄するもので、縦向きの幹材９４の外周に多数本のブラシ９５…を配して構成したものである。
【００２２】
【発明の効果】
この発明は以上のように構成したものであるので、外出から帰った際の車椅子等をより完全な程にきれいに洗浄して施設を何時も美麗に保つことができるようにした洗浄装置を提供することができる。
【図面の簡単な説明】
【図１】この発明の一実施例である洗浄装置の側断面図。
【図２】図１のＩＩ−ＩＩ線断面図。
【図３】他の実施例を示す洗浄具の断面図。
【図４】洗浄装置の他の実施例を示す縦断面図。
【図５】図４の装置の横断面平面図。
【図６】耐震構造をもつ介護装置の側面図。
【図７】健康増進・回復装置の平面図。
【図８】耐震構造をもつ介護搬入・搬出装置の斜視図。
【図９】車椅子についての実施例を示す側面図。
【図１０】車椅子についての他の実施例を示す一部き切欠正面図。
【図１１】車輪洗浄装置についての実施例を示す正面図。
【符号の説明】
１…洗浄装置  １０，１３…洗浄用ブラシ  １１…槽  １４…洗浄液  ２０，５１，７５，８５…車椅子  ２１…車輪。
【図１】
0003740560.tif 000002
【図２】
0003740560.tif 000003
【図３】
0003740560.tif 000004
【図４】
0003740560.tif 000005
【図５】
0003740560.tif 000006
【図６】
0003740560.tif 000007
【図７】
0003740560.tif 000008
【図８】
0003740560.tif 000009
【図９】
0003740560.tif 000010
【図１０】
0003740560.tif 000011
【図１１】
0003740560.tif 000012